【手続補正書】
【提出日】平成17年11月15日(2005.11.15)
【手続補正１】
【補正対象書類名】明細書
【補正対象項目名】特許請求の範囲
【補正方法】変更
【補正の内容】
【特許請求の範囲】
【請求項１】
高速ダウンリンクパケットシステムにより異なるＱｏｓを有するトラフィックのサポートを行う方法であって、
Ｑｏｓに関しいくつかの異なる属性要求を有するトラフィックが前記高速ダウンリンクパケットアクセスシステムのコアネットワーク側でサービスの提供を要求した場合、様々なサービスの規約ならびに特性に基づき、コアネットワークによってＱＯＳの属性を設定するとともに、Ｑｏｓの前記属性値を無線アクセスベアラー割り当て要求(Radio Access Bearer ServiceAssignment Request)を介し、サービス無線ネットワークコントローラーの無線アクセスネットワークアプリケーション部に転送するステップaと、
前記サービス無線ネットワークコントローラーによって、無線リンクコントロールレイヤー、前記高速メディアアクセスレイヤー、および物理レイヤーにより動作可能な前記トラフィック上に、前記ＱＯｓの属性を設定し、無線リンクコントロールレイヤーによって動作可能なパラメーターが、論理チャネルのＱｏｓの前記設定済みパラメーラーであり、前記高速メディアアクセスレイヤーによって動作可能なパラメーターが、前記転送チャネルのＱｏｓの前記設定済みパラメーラーであり、前記物理レイヤーによって動作可能なパラメーターが、前記物理チャネルのＱｏｓの前記設定済みパラメーラーであるステップｂと、
サービス無線ネットワークコントローラーの無線リンクコントロールレイヤーにより、それ自身のレイヤーにおいて設定可能な前記論理チャネルのパラメーターを設定し、チャネルの設定ならびに関連するパラメーターの設定が、無線ベアラー設定信号を介して移動局に通知されるステップｃと、
前記サービス無線ネットワークコントローラーにより、前記無線リンクコントロールレイヤーにより設定することが出来ない前記転送チャネルの前記パラメータおよび物理チャネルの設定済みパラメーターを、それ自身のレイヤー内に設定可能なパラメータを設定することを可能とする前記無線リンク設定要求信号を通じて前記基地局側の前記高速メディアアクセスレイヤーおよび前記物理レイヤーへ転送するステップｄと、
前記転送チャネルの受信されたパラメーターに基づき、前記基地局側の前記高速メディアアクセスコントロールレイヤーにより、異なる移動局用のＱｏｓの異なった属性を記憶するためのインターフェースIub/Iur上の異なる転送チャネルに対応するデータ列を設定し、これにより、前記転送チャネルの属性条件は、前記データ列の前記属性条件であるステップeと、
前記列データの属性要求にもとづき、前記基地局側の前記高速メディアアクセスコントロールレイヤーにより、スケジューリング方法における列動作の制御パラメーターテーブルを設定し、スケジューリング方法は、前記転送チャネルのサービスの質の条件を満たすため、前記制御パラメーターテーブルに基づいて、データスケジューリングを実行するステップｆと、を備えたこと、
を特徴とするもの。
【請求項２】
請求項１にかかるサポート方法であって、さらに、前記高速ダウンリンクパケットアクセスシステムにおいて、前記サービス無線ネットワークコントローラーの無線リンクコントロールレイヤーによって、異なるＱｏｓを有する前記トラフィックを、異なる論理チャネル上に設定し、高速ダウンリンクパケットアクセスシステムの前記コントロール無線ネットワークコントローラーの前記メディアアクセスコントロールレイヤーにより、異なる論理チャネルを、前記異なる論理チャネル上に設定するステップ、を備えたこと、
を特徴とするもの。
【請求項３】
請求項１にかかるサポート方法であって、ステップｂにおいて、前記論理チャネルのＱｏｓの設定済みパラメーターは、前記論理チャネルの優先度および前記無線リンクコントロールレイヤーのパラメーター、を備えており、および
前記転送チャネルのＱｏｓの前記設定済みパラメーターは、前記転送チャネルの優先度、前記転送チャンルの数、および前記転送チャネル属性、を備えたこと、
を特徴とするもの。
【請求項４】
請求項３にかかるサポート方法において、前記無線リンクコントロールレイヤーの前記パラメーターは、無線リンクコントロールモードを有し、当該無線リンクコントロールレイヤーのモードは、確認モード（ackknowledgement mode)と非確認モード（unackknowledgement mode)、無線リンクコントロールレイヤーのウインドサイズ、無線リンクコントロールレイヤーのパケットを廃棄するメカニズム、ＲＬＣ  ＰＤＵのサイズおよびＰＬＣ  ＡＣＫとＰＯＬＬＩＮＧのメカニズムパラメーター、とに分割され、  前記転送チャネル属性は、前記転送チャネルの前記属性の最大ビットレート、転送チャネルデータの残存ビットエラーコード率、前記転送チャネルデータの保証ビットレート、および、前記転送チャネルデータの遅延要求、を備え、前記物理チャネルのタイプは、高速データトラフィック用の高速ダウンリンクシェア済みチャネルとして固定され、初期値は、チャネルノードの数として設定することができるが、高速メディアアクセス制御レイヤーのスケジューリングは、各送信時に変更されること、
を特徴とするもの。
【請求項５】
請求項１にかかるサポート方法において、ステップｄにおいて、前記サービス無線ネットワークコントローラーの前記無線リンク設定要求信号により転送された前記転送チャネルのパラメーターであって、携帯通信システムブロードバンド符号分割多重アクセスであるＲＥＬ９９システムの場合と同じ信号によって転送された転送フォーマットのセットが、前記転送チャネル属性に置き換えられ、前記転送チャネル属性は、前記転送チャネルの前記属性の最大ビットレート、前記転送チャネルデータの残存ビットエラーコード率、前記転送チャネルデータの保証ビットレート、および、前記転送チャネルデータの遅延要求、を備えており、前記他のパラメーターの設定は、第三世代の携帯通信システムブロードバンド符号分割多重アクセスであるＲＥＬ９９システムによる、異なるＱｏｓを有するトラフィックをサポートする方法と同じであること、
を特徴とするもの。
【請求項６】
請求項１にかかるサポート方法において、ステップｃにおいて、転送されたＱｏｓに関連づけられた前記パラメーターの転送フォーマットセットは、無線ベアラーサービス要求信号により完全に消去され、Ｑｏｓの前記他のパラメーターの設定は、第三世代の携帯通信システムブロードバンド符号分割多重アクセスであるＲＥＬ９９システムにおいて異なるＱｏｓを有する前記トラフィックのパラメーターの設定と同じであること、
を特徴とするもの。
【請求項７】
請求項１にかかるサポート方法において、ステップeにおいて、データ列１の前記属性は、
前記転送チャネルデータの最大ビットレート＜a1nであり、
前記転送チャネルデータの残存ビットエラー＜a2nであり、
前記転送チャネルデータの保証ビットレート＜a3nであり、
前記転送チャネルデータの遅延要求＜a4nであり、
制御されたパラメーターが設定可能であり、その値を以下を含む前記制御されたパラメーターに割り当てることができ、
前記データブロックの最大再転送時間＝ｂ１ｎであり、
前記再送信データの遅延可能時間（ＴＴＩの数）＝ｂ２ｎであり、
前記列１におけるデータの有効寿命期間＝ｂ３ｎであり、
列１のデータを列スケジューリングする優先度＝ｂ４ｎであり、
チャネルコードの数＝ｂ５ｎであり、
ここで、ｎは０、１、２・・・の正の整数であること、
を特徴とするもの。
【請求項８】
請求項１にかかるサポート方法において、ステップｆにおいて、制御パラメーターに基づいて前記列スケジューリング方法によって行われるデータスケジューリング方法は、
前記高速アクセスコントロールレイヤーによりデータ列が設定され、前記データ列の前記属性が設定された後、データスケジューリングが開始されるステップaaと、
異なった移動局の異なるＱｏｓを有する前記トラフィックのデータ列を、前記高速メディアアクセスコントロールレイヤーにより、優先度のより高いデータ列から走査するステップbbと、
前記データ列内にデータがあるか否かを判断し、ある場合は、ステップddに進み、ない場合は、前記高速メディアアクセスコントロールレイヤーにより次のデータ列を走査し、ステップbbに戻るステップccと、
前記高速メディアアクセスコントロールレイヤーにより前記データ列内のデータの有効寿命期間が０であるか否か判断し、前記有効寿命期間が０であれば、ステップiiに進み、前記有効寿命期間が０でない場合は、ステップeeに進むステップddと、
前記高速メディアアクセスコントロールレイヤーにより、データ列を全部走査したか否かを判断し、データ列が全部走査されていない場合、ステップbbに戻り、データ列が全部走査された場合は、ステップffに進むステップeeと、
遅延が０の前記再転送データがあるか否か、すなわち、送信時間間隔の数が０であるか否かを判断するため、前記高速メディアアクセスコントロールレイヤーにより再転送データを走査し、前記数が０である場合は、ステップhhに進み、前記数が０でない場合は、ステップggに進むステップffと、
前記高速メディアアクセスコントロールレイヤーにより、選択された変調およびコーデイング方法が、前記再転送データの場合と同じであるかどうか判断し、前記選択変調およびコーデイング方法が前記再転送データと同じである場合は、ステップhhに進み、前記選択変調およびコーデイング方法が前記再転送データと同じでない場合は、前記高速メディアアクセスコントロールレイヤーによって、最も高いスケジューリングレベルを有するデータ列からデータを取り込み、ステップkkに進むステップggと、
前記高速メディアアクセスコントロールレイヤーにより前記再転送データが予定され送信するとともに、ステップllに進むステップhhと、
前記高速メディアアクセスコントロールレイヤーにより最大遅延に達した再転送データがあるか否かの判断がなされ、最大遅延に達した再転送データがある場合、まず前記再転送データを廃棄し、次にステップjjに進み、最大遅延に達した再転送データがない場合は、直接ステップjjに進むステップii、と、
前記高速メディアアクセスコントロールレイヤーによりデータ列内の有効有効寿命が０のデータを取り込むステップjjと、
前記データブロックの数、ならびに、前記データのスケジューリングおよび送信を行うための選択された変調およびコーディング方法に基づき、前記高速メディアアクセスコントロールレイヤーによって、チャネルコードを選択するステップkkと、
前記高速メディアアクセスコントロールレイヤーにより前記データ列の制御データを更新し、ステップaaに戻るステップllと、を備えたこと、
を特徴とするもの。
【請求項９】                          
請求項１にかかるサポート方法において、さらに、各移動局（ＵＥ）と基地局間に空ポートを一つだけ有するダウンリンクシェア済み搬送チャネル（ＨＳ−ＤＳＣＨ）を提供するステップを備え、前記インターフェースIur／Iubにより複数の搬送チャネルを設定することが出来ること、
を特徴とするもの。
【手続補正２】
【補正対象書類名】明細書
【補正対象項目名】００３８
【補正方法】変更
【補正の内容】
【００３８】
図５に示すように、ステップｆで説明した、設定された制御パラメーターに基づく、列スケジューリング方法によるデータのスケジュール方法は、以下のステップを備える：
ステップaa、高速アクセスコントロールレイヤーによりデータ列が設定され、列属性が設定された後、データスケジューリングが開始され；
ステップbb、異なった移動局の異なるQosを有するトラフィックのデータ列が、前記高速メディアアクセスコントロールレイヤーにより、優先度の高い列から走査され；
ステップcc、列内にデータがあるか否かを判断する。ある場合は、ステップddに進み、ない場合は、前記高速メディアアクセスコントロールレイヤーにより次のデータ列を走査し、ステップbbに戻り；
ステップdd、前記高速メディアアクセスコントロールレイヤーにより前記列内のデータの有効寿命期間が０であるか否か判断する。０であれば、ステップiiに進み、０でない場合は、ステップeeに進み；
ステップee、前記高速メディアアクセスコントロールレイヤーにより列を全部走査したか否かを判断する。全部走査されていない場合、ステップbbに戻り、全部走査された場合は、ステップffに進み；
ステップff、遅延が０の再転送データがあるか否か、すなわち、送信時間間隔の数が０であるか否かを判断するため、前記高速メディアアクセスコントロールレイヤーにより再転送データを走査し、０である場合は、ステップhhに進み、０でない場合は、ステップggに進み；
ステップgg、前記高速メディアアクセスコントロールレイヤーにより、選択された変調およびコーデイング方法が、再転送データの場合と同じであるかどうか判断し；同じである場合は、ステップhhに進む。違う場合、記高速メディアアクセスコントロールレイヤーによって、最も高いスケジューリングレベルを有する列からデータを取り込み、ステップkkに進み；
ステップhh、前記高速メディアアクセスコントロールレイヤーにより再転送データが予定されるとともに送信され、ステップllに進み；
ステップii、前記高速メディアアクセスコントロールレイヤーにより最大遅延に達した再転送データがあるか否かの判断がされる。最大遅延に達した再転送データがある場合は、ステップjjに戻り、最大遅延に達した再転送データがない場合、直接ステップjjに進み；
ステップjj、前記高速メディアアクセスコントロールレイヤーにより列内の有効寿命が０のデータが取り込まれ；
ステップkk、データブロックの数、ならびに、前記データのスケジューリングおよび送信を行うための選択された変調および暗号化方法に基づき、前記高速メディアアクセスコントロールレイヤーによって、適切な数の物理コードチャネルが選択され；
ステップll、前記高速メディアアクセスコントロールレイヤーにより列データの制御データが更新され、ステップaaに戻る。